(57)【要約】【課題】注文処理で表示される選択画面の操作性を向上させることができる受付端末及び表示制御プログラム並びに注文処理方法の提供。【解決手段】メディアなどから画像ファイルを読み取るファイル読み取り手段と、作業に対する処理を規定するテーブルを記憶する記憶手段と、表示手段に画像選択画面を表示させる際に、個々の作業が選択された場合は各々の作業に応じて異なる画像が表示される画像選択画面２４を表示し、複数の作業が選択された場合はいずれの作業に対しても少なくとも一方の作業の対象となる画像が表示される画像選択画面２４を表示し、更に各々の作業に応じて対象とはならない画像ファイルの選択を制限する表示制御手段と、表示手段及び操作手段と、画像ファイルと注文情報ファイルとを出力装置に送信するファイル送信手段とを備え、選択された作業に応じて適切な画面を表示させる。【選択図】図１２
2006121374.tif 000002
【特許請求の範囲】
【請求項１】
デジタルカメラ又はデジタルカメラ用メディアから、少なくとも画像ファイルを読み取るファイル読み取り手段と、
前記画像ファイルを用いた作業を選択させるための作業選択画面、及び、選択された前記作業に対する項目を選択させるための選択画面を表示手段に表示させる表示制御手段と、を少なくとも備える注文端末において、
前記表示制御手段では、個々の前記作業が選択された場合に、各々の前記作業に対する処理を規定するテーブルを参照して、選択された前記作業に応じて、前記選択画面に異なる前記項目を表示させる制御を行うことを特徴とする注文端末。
【請求項２】
前記選択画面は、読み取った前記画像ファイルの中から、選択された前記作業で利用する画像ファイルを選択させる画面であり、
前記表示制御手段は、前記選択画面に、読み取った前記画像ファイルの内、選択された作業の対象となる画像ファイルのみを選択可能に表示させることを特徴とする請求項１記載の注文端末。
【請求項３】
デジタルカメラ又はデジタルカメラ用メディアから、少なくとも画像ファイルを読み取るファイル読み取り手段と、
前記画像ファイルを用いた作業を選択させるための作業選択画面、及び、選択された前記作業に対する項目を選択させるための選択画面を表示手段に表示させる表示制御手段と、を少なくとも備える注文端末において、
前記表示制御手段では、複数の前記作業が選択された場合に、いずれの前記作業に対しても、前記選択画面に少なくとも一方の前記作業の対象となる前記項目を表示させる制御を行うことを特徴とする注文端末。
【請求項４】
前記表示制御手段では、各々の前記作業に対する処理を規定するテーブルを参照して、各々の前記作業に対して、該作業の対象とはならない項目の選択を制限する制御を行うことを特徴とする請求項３記載の注文端末。
【請求項５】
前記選択画面は、読み取った前記画像ファイルの中から、選択された前記作業で利用する画像ファイルを選択させる画面であり、
前記表示制御手段は、前記選択画面に、読み取った前記画像ファイルの内、選択された作業の対象とはならない画像ファイルを選択できないように表示させることを特徴とする請求項４記載の注文端末。
【請求項６】
前記選択画面は、読み取った前記画像ファイルの中から、選択された前記作業で利用する画像ファイルを選択させる画面であり、
前記表示制御手段は、前記選択画面に、読み取った前記画像ファイルの内、選択された作業の対象とはならない画像ファイルに対応付けて、該画像ファイルが選択できないことを示す情報を表示させることを特徴とする請求項４記載の注文端末。
【請求項７】
コンピュータを、
表示手段に、作業選択画面で選択された作業に対する項目を選択させるための選択画面を表示させる際に、個々の前記作業が選択された場合に、各々の前記作業に対する処理を規定するテーブルを参照して、選択された前記作業に応じて、前記選択画面に異なる前記項目を表示させる制御を行う表示制御手段として機能させることを特徴とする表示制御プログラム。
【請求項８】
前記選択画面は、読み取った前記画像ファイルの中から、選択された前記作業で利用する画像ファイルを選択させる画面であり、
前記表示制御手段は、前記選択画面に、読み取った前記画像ファイルの内、選択された作業の対象となる画像ファイルのみを選択可能に表示させることを特徴とする請求項７記載の表示制御プログラム。
【請求項９】
コンピュータを、
表示手段に、作業選択画面で選択された作業に対する項目を選択させるための選択画面を表示させる際に、複数の前記作業が選択された場合に、いずれの前記作業に対しても、前記選択画面に少なくとも一方の前記作業の対象となる前記項目を表示させる制御を行う表示制御手段として機能させることを特徴とする表示制御プログラム。
【請求項１０】
前記表示制御手段では、各々の前記作業に対する処理を規定するテーブルを参照して、各々前記作業に対して、該作業の対象とはならない項目の選択を制限する制御を行うことを特徴とする請求項９記載の表示制御プログラム。
【請求項１１】
前記選択画面は、読み取った前記画像ファイルの中から、選択された前記作業で利用する画像ファイルを選択させる画面であり、
前記表示制御手段は、前記選択画面に、読み取った前記画像ファイルの内、選択された作業の対象とはならない画像ファイルを選択できないように表示させることを特徴とする請求項１０記載の表示制御プログラム。
【請求項１２】
前記選択画面は、読み取った前記画像ファイルの中から、選択された前記作業で利用する画像ファイルを選択させる画面であり、
前記表示制御手段は、前記選択画面に、読み取った前記画像ファイルの内、選択された作業の対象とはならない画像ファイルに対応付けて、該画像ファイルが選択できないことを示す情報を表示させることを特徴とする請求項１０記載の表示制御プログラム。
【請求項１３】
デジタルカメラ又はデジタルカメラ用メディアから、少なくとも前記画像ファイルを読み取るステップと、
前記画像ファイルを用いた作業を選択させるための作業選択画面を表示手段に表示させるステップと、
選択された前記作業に対する項目を選択させるための選択画面を前記表示手段に表示させるステップと、を少なくとも備える注文処理方法において、
前記表示手段に前記選択画面を表示させる際に、個々の前記作業が選択された場合に、各々の前記作業に対する処理を規定するテーブルを参照して、選択された前記作業に応じて、前記選択画面に異なる前記項目を表示することを特徴とする注文処理方法。
【請求項１４】
前記選択画面は、読み取った前記画像ファイルの中から、選択された前記作業で利用する画像ファイルを選択させる画面であり、
前記選択画面には、読み取った前記画像ファイルの内、選択された作業の対象となる画像ファイルのみを選択可能に表示することを特徴とする請求項１３記載の注文処理方法。
【請求項１５】
デジタルカメラ又はデジタルカメラ用メディアから、少なくとも前記画像ファイルを読み取るステップと、
前記画像ファイルを用いた作業を選択させるための作業選択画面を表示手段に表示させるステップと、
選択された前記作業に対する項目を選択させるための選択画面を前記表示手段に表示させるステップと、を少なくとも備える注文処理方法において、
前記表示手段に前記選択画面を表示させる際に、複数の前記作業が選択された場合に、いずれの前記作業に対しても、前記選択画面に少なくとも一方の前記作業の対象となる前記項目を表示することを特徴とする注文処理方法。
【請求項１６】
前記表示手段に前記選択画面を表示させる際に、各々の前記作業に対する処理を規定するテーブルを参照して、各々の前記作業に対して、該作業の対象とはならない項目の選択を制限することを特徴とする請求項１５記載の注文処理方法。
【請求項１７】
前記選択画面は、読み取った前記画像ファイルの中から、選択された前記作業で利用する画像ファイルを選択させる画面であり、
前記選択画面には、読み取った前記画像ファイルの内、選択された作業の対象とはならない画像ファイルを選択できないように表示することを特徴とする請求項１６記載の注文処理方法。
【請求項１８】
前記選択画面は、読み取った前記画像ファイルの中から、選択された前記作業で利用する画像ファイルを選択させる画面であり、
前記選択画面には、読み取った前記画像ファイルの内、選択された作業の対象とはならない画像ファイルに対応付けて、該画像ファイルが選択できないことを示す情報を表示することを特徴とする請求項１６記載の注文処理方法。
【発明の詳細な説明】
【技術分野】
【０００１】
本発明は、受付端末及び表示制御プログラム並びに注文処理方法に関する。
【背景技術】
【０００２】
近年、写真に関連する様々なサービスが提供されるようになってきている。例えば、ユーザがデジタルカメラで写真を撮影し、画像ファイルが記録されたデジタルカメラやデジタルカメラ用メディアをミニラボ等の写真店に持ち込むと、写真店では受付端末を用いてデジタルカメラやメディアから画像ファイルを読み取り、読み取った画像ファイルを用いて高精細な写真プリントを作成したり、該画像ファイルをＣＤ−Ｒなどの記録媒体に書き込むなどの処理を行う。また、店舗内に設置されたキオスク（無人の受付端末）を用いれば、上記写真プリントの作成や記録媒体への書き込みなどの処理をユーザ自身で行うこともできる（上記無人端末に関しては、例えば、下記特許文献１参照）。
【０００３】
更に、読み取った画像ファイルを用いて、ＤＶＤプレーヤやＤＶＤレコーダ、ＨＤＤレコーダなどの家電機器で再生可能なデータを生成し、元の画像ファイルと該画像ファイルをスライドショーとして再生するためのアプリケーションと家電機器用データとをセットにして記録媒体に書き込むこともできる。
【０００４】
【特許文献１】特開平１１−８８１７号公報（第３−４頁、第１図）
【発明の開示】
【発明が解決しようとする課題】
【０００５】
上記受付端末を用いて注文を行う場合、写真プリントの作成と記録媒体への書き込みとではその後の処理が異なる。例えば、写真プリントの作成では動画ファイルを利用することができないため、デジタルカメラやメディアに動画ファイルが記録されていたとしても該動画ファイルをプリント対象として扱うことは好ましくない。一方、記録媒体への書き込みの場合には、画像ファイルを音楽付きスライドショーとして再生することを前提とすると、画像ファイルの数が多くなりすぎると１つの画像を表示する時間が短くなることから、規定数以上の数の画像ファイルがデジタルカメラやメディアに記録されていたとしても全ての画像ファイルを書き込み対象とすることは好ましくない。また、画像ファイルから家電機器用データを生成する場合には、画像ファイルが規定サイズ以上となると家電機器用データのサイズも大きくなり記録媒体の記録容量を超えてしまう場合があることから、規定サイズ以上の画像ファイルがデジタルカメラやメディアに記録されていたとしても該画像ファイルを書き込み対象とすることは好ましくない。
【０００６】
このように、写真プリントの作成と記録媒体への書き込みとでは対象となる画像ファイルが異なることから、受付端末には作業に適した画像選択画面を表示する必要があるが、個々の作業（例えば、写真プリントの作成又は記録媒体への書き込み）が選択された場合に同じ画像選択画面が表示されると、表示された画像ファイルの中から該作業の選択対象となる画像ファイルをユーザ自らが特定しなければならず、間違った選択をしやすく操作性が悪いという問題がある。一方、複数の作業（例えば、写真プリントの作成と記録媒体への書き込みの双方）が選択された場合に、各々の作業に対して異なる画像選択画面が表示されると、表示される画像の順番などが変わるため、画像が選択しにくくやはり操作性が悪いという問題がある。
【０００７】
本発明は、上記問題点に鑑みてなされたものであって、その主たる目的は、注文処理で表示される選択画面の操作性を向上させることができる受付端末及び表示制御プログラム並びに注文処理方法を提供することにある。
【課題を解決するための手段】
【０００８】
上記目的を達成するため、本発明の注文端末は、デジタルカメラ又はデジタルカメラ用メディアから、少なくとも画像ファイルを読み取るファイル読み取り手段と、前記画像ファイルを用いた作業を選択させるための作業選択画面、及び、選択された前記作業に対する項目を選択させるための選択画面を表示手段に表示させる表示制御手段と、を少なくとも備える注文端末において、前記表示制御手段では、個々の前記作業が選択された場合に、各々の前記作業に対する処理を規定するテーブルを参照して、選択された前記作業に応じて、前記選択画面に異なる前記項目を表示させる制御を行うものである。
【０００９】
本発明においては、前記選択画面は、読み取った前記画像ファイルの中から、選択された前記作業で利用する画像ファイルを選択させる画面であり、前記表示制御手段は、前記選択画面に、読み取った前記画像ファイルの内、選択された作業の対象となる画像ファイルのみを選択可能に表示させる構成とすることができる。
【００１０】
また、本発明の注文端末は、デジタルカメラ又はデジタルカメラ用メディアから、少なくとも画像ファイルを読み取るファイル読み取り手段と、前記画像ファイルを用いた作業を選択させるための作業選択画面、及び、選択された前記作業に対する項目を選択させるための選択画面を表示手段に表示させる表示制御手段と、を少なくとも備える注文端末において、前記表示制御手段では、複数の前記作業が選択された場合に、いずれの前記作業に対しても、前記選択画面に少なくとも一方の前記作業の対象となる前記項目を表示させる制御を行うものである。
【００１１】
本発明においては、前記表示制御手段では、各々の前記作業に対する処理を規定するテーブルを参照して、各々の前記作業に対して、該作業の対象とはならない項目の選択を制限する制御を行う構成とすることができる。
【００１２】
また、本発明においては、前記選択画面は、読み取った前記画像ファイルの中から、選択された前記作業で利用する画像ファイルを選択させる画面であり、前記表示制御手段は、前記選択画面に、読み取った前記画像ファイルの内、選択された作業の対象とはならない画像ファイルを選択できないように表示させる構成、又は、前記選択画面は、読み取った前記画像ファイルの中から、選択された前記作業で利用する画像ファイルを選択させる画面であり、前記表示制御手段は、前記選択画面に、読み取った前記画像ファイルの内、選択された作業の対象とはならない画像ファイルに対応付けて、該画像ファイルが選択できないことを示す情報を表示させる構成とすることもできる。
【００１３】
また、本発明の表示制御プログラムは、コンピュータを、表示手段に、作業選択画面で選択された作業に対する項目を選択させるための選択画面を表示させる際に、個々の前記作業が選択された場合に、各々の前記作業に対する処理を規定するテーブルを参照して、選択された前記作業に応じて、前記選択画面に異なる前記項目を表示させる制御を行う表示制御手段として機能させるものである。
【００１４】
また、本発明の表示制御プログラムは、コンピュータを、表示手段に、作業選択画面で選択された作業に対する項目を選択させるための選択画面を表示させる際に、複数の前記作業が選択された場合に、いずれの前記作業に対しても、前記選択画面に少なくとも一方の前記作業の対象となる前記項目を表示させる制御を行う表示制御手段として機能させるものであり、前記表示制御手段では、各々の前記作業に対する処理を規定するテーブルを参照して、各々前記作業に対して、該作業の対象とはならない項目の選択を制限する制御を行うこともできる。
【００１５】
また、本発明の注文処理方法は、デジタルカメラ又はデジタルカメラ用メディアから、少なくとも前記画像ファイルを読み取るステップと、前記画像ファイルを用いた作業を選択させるための作業選択画面を表示手段に表示させるステップと、選択された前記作業に対する項目を選択させるための選択画面を前記表示手段に表示させるステップと、を少なくとも備える注文処理方法において、前記表示手段に前記選択画面を表示させる際に、個々の前記作業が選択された場合に、各々の前記作業に対する処理を規定するテーブルを参照して、選択された前記作業に応じて、前記選択画面に異なる前記項目を表示するものである。
【００１６】
また、本発明の注文処理方法は、デジタルカメラ又はデジタルカメラ用メディアから、少なくとも前記画像ファイルを読み取るステップと、前記画像ファイルを用いた作業を選択させるための作業選択画面を表示手段に表示させるステップと、選択された前記作業に対する項目を選択させるための選択画面を前記表示手段に表示させるステップと、を少なくとも備える注文処理方法において、前記表示手段に前記選択画面を表示させる際に、複数の前記作業が選択された場合に、いずれの前記作業に対しても、前記選択画面に少なくとも一方の前記作業の対象となる前記項目を表示するものである。
【００１７】
このように、本発明の構成によれば、個々の作業が選択された場合には、該作業に応じて異なる選択画面が表示され、複数の作業が選択された場合には、いずれの作業に対しても、少なくとも一方の作業の対象となる項目が表示される選択画面が表示され、更に、各々の作業に応じて、対象とはならない項目の選択が制限されるため、どのような作業が選択された場合でも選択画面の操作性を向上させることができる。
【発明の効果】
【００１８】
本発明の受付端末及び表示制御プログラム並びに注文処理方法によれば、画像ファイルを用いた注文に際してどのような作業が選択されたとしても、選択画面の操作性を向上させることができる。
【００１９】
その理由は、本発明の受付端末では、表示手段に画像選択画面などの選択画面を表示する際に、例えば、写真プリントの作成では動画ファイルを表示せず、記録媒体の作成では規定数又は規定サイズ以上の画像ファイルを表示しないなど、個々の作業が選択された場合には作業に応じて異なる選択画面が表示されるからである。
【００２０】
また、複数の作業が選択された場合には、いずれの作業に対しても、少なくとも一方の作業の対象となる項目が表示される選択画面が表示され、更に、例えば、写真プリントの作成では動画ファイルを選択できないように表示又は選択できないことを示す情報を動画ファイルに対応付けて表示したり、記録媒体の作成では規定数又は規定サイズ以上の画像ファイルを選択できないように表示又は選択できないことを示す情報を該画像ファイルに対応付けて表示するなど、対象とはならない項目の選択を制限する制御が行われるからである。
【発明を実施するための最良の形態】
【００２１】
本発明の注文端末は、その好ましい一実施の形態において、デジタルカメラやメディアなどから画像ファイルと必要に応じて注文情報ファイルとを読み取るファイル読み取り手段と、各々の作業に対する処理を規定するテーブルを記憶する記憶手段と、表示手段に画像選択画面を表示させる際に、個々の作業が選択された場合は、各々の作業に応じて異なる画像が表示される画像選択画面を表示し、複数の作業が選択された場合は、いずれの作業に対しても、少なくとも一方の作業の対象となる画像が表示される画像選択画面を表示し、更に、各々の作業に応じて対象とはならない画像ファイルの選択を制限するなどの制御を行う表示制御手段と、表示手段及び操作手段と、画像ファイルと注文情報ファイルとをプリンタや記録媒体作成装置などの出力装置に送信するファイル送信手段とを少なくとも備える。これにより、どのような作業が選択された場合でも画像操作画面の操作性を向上させることができる。
【実施例】
【００２２】
上記実施形態について詳細に説明すべく、本発明の一実施例に係る受付端末及び表示制御プログラム並びに注文処理方法について、図１乃至図１８を参照して説明する。図１は、本実施例に係る注文処理システムの構成を模式的に示す図であり、図２及び図３は、受付端末のバリエーションを示す図、図４は、受付端末の機能を示すブロック図である。また、図５及び図６は、本実施例の受付端末及びプリンタ並びに記録媒体作成装置を用いた注文処理の手順を示すフローチャート図であり、図７は、作業に対する処理を規定するテーブルの構成例を示す図、図８乃至図１５は、受付端末の表示手段に表示される画面構成例を示す図である。また、図１６及び図１７は、記録媒体におけるデータの記録構造を示す図であり、図１８は、記録媒体に構造を模式的に示す図である。
【００２３】
図１に示すように、本実施例の注文処理システム１は、ミニラボなどに写真店やコンビニエンスストアなどの注文店などに設置され、写真プリントや記録媒体の作成を指示する受付端末２と、写真店や生産店などに設置されるプリント作成装置１１ａや記録媒体作成装置１１ｂなどの出力装置１０とで構成され、これらはＬＡＮやＷＡＮ、ＶＡＮなどの通信ネットワークを介して接続されている。
【００２４】
また、図４に示すように、本実施例の受付端末２は、スマートメディア、コンパクトフラッシュ（登録商標）、メモリースティック、ＳＤメモリーカード、マルチメディアカードなどのデジタルカメラ９用又はカメラ付き携帯電話機９ａ用の記録媒体（以下、メディア８と呼ぶ。）を装填するメディア装填部５や、デジタルカメラ９やカメラ付き携帯電話機９ａ等の撮影機器（以下、デジタルカメラ９として説明する。）を有線又は無線、赤外線等によって接続するための機器接続部６などのファイル読み取り手段１５と、必要に応じて、注文情報ファイル又は画像ファイルから画像ファイルに対応付けされた撮影日などの日付情報を読み取る日付情報読み取り手段１６と、各々の作業に対する処理を規定するテーブルを記憶する記憶手段１７と、表示手段３に選択画面（例えば、画像ファイルを選択させるための画像選択画面）を表示する際に、個々の作業（例えば、写真プリントの作成又は記録媒体の作成）が選択された場合は、写真プリントの作成では選択の対象とはならない画像ファイル（例えば、動画ファイル）を表示せず、記録媒体の作成では選択の対象とはならない画像ファイル（例えば、規定数又は規定サイズ以上の画像ファイル）を表示しないなど、作業に応じて異なる項目（画像選択画面の場合は画像）が表示される画像選択画面を表示させ、また、複数の作業（例えば、写真プリントの作成及び記録媒体の作成）が選択された場合は、いずれの作業に対しても、少なくとも一方の作業の対象となる項目（画像）が表示される選択画面（画像選択画面）を表示させ、更に、写真プリントの作成では動画ファイルを選択できないように表示したり選択できないことを示す情報を動画ファイルに対応付けて表示させ、記録媒体の作成では規定数又は規定サイズ以上の画像ファイルを選択できないように表示したり選択できないことを示す情報を該画像ファイルに対応付けて表示させるなど、対象とはならない項目（画像）の選択を制限する制御などを行う表示制御手段１８と、ＬＣＤ、ＣＲＴ等の表示手段３と、ボタン、キーボード、マウス等の操作手段４と、画像ファイルや注文情報ファイルを出力装置１０に送信するファイル送信手段１９とを備え、必要に応じて、注文番号が記録されたレシートを出力するレシートプリンタ７などが接続されている。なお、上記各手段はハードウェアとして構成されていてもよいし、コンピュータを、少なくとも表示制御手段１８として機能させる表示制御プログラムとして構成し、該表示制御プログラムを受付端末２にインストールして実行する構成としてもよい。
【００２５】
また、本実施例のプリント作成装置１１ａは、銀塩プリンタや昇華プリンタ、インクジェットプリンタなどの任意の種類のプリンタを用いることができ、プリント作成装置１１ａには、少なくとも、注文情報ファイルに基づいて所定のプリントサイズ（Ｅ、Ｌ、ＬＤ、２Ｌ、２ＬＤ、ＫＧ、８つ、６つ、４つ、６つＷ、４つＷ、Ａ４、Ａ３など）、所定の種別（銀塩プリント、昇華プリントなど）、所定の形態（個別のプリント、インデックスプリント、ジャケットプリントなど）の写真プリント１２の作成を行う機能を備え、記録媒体作成装置１１ｂには、少なくとも、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１３を装填する記録媒体装填部１４などの書き込み手段を備えている。なお、図１では、受付端末２とプリント作成装置１１ａと記録媒体作成装置１１ｂとを別々の装置として記載しているが、例えば、図２に示すように、受付端末２と記録媒体作成装置１１ｂの機能を兼ね備えたコンピュータ機器としてもよいし、図３に示すように、受付端末２とプリント作成装置１１ａと記録媒体作成装置１１ｂとが一体となったキオスク（無人端末）などとしてもよい。
【００２６】
次に、上記構成の受付端末２を用いた注文処理の手順について、図５のフローチャート図を参照して説明する。
【００２７】
まず、受付端末２を起動すると、表示手段３に例えば、図８に示すような作業選択画面２０が表示される。この作業選択画面２０には、画像ファイルから写真プリント１２を作成するのか、画像ファイルを記録した記録媒体１３を作成するのか、又はその双方を作成するのかなどの作業を選択するボタンが表示され、ステップＳ１０１で、ユーザはその中から所望の作業を選択する。その後、ステップＳ１０２で、メディア装填部５にメディア８を装填、又は機器接続部６にデジタルカメラ９を接続すると、ステップＳ１０３で、ファイル読み取り手段１５は、メディア８やデジタルカメラ９から画像ファイルを読み取る。その際、メディア８やデジタルカメラ９に注文情報ファイル（例えば、ＤＰＯＦファイル）が記録されている場合はその注文情報ファイルも読み取る。
【００２８】
次に、ステップＳ１０４で選択された作業を判断し、写真プリント１２の作成又は写真プリント１２及び記録媒体１３の双方の作成が選択された場合は、ステップＳ１０５で、表示制御手段１８は、表示手段３に例えば図９に示すような写真プリント１２のプリントサイズをユーザに選択させるためのプリントサイズ選択画面２１を表示させる。このプリントサイズ選択画面２１には、Ｅ、Ｌ、ＬＤ、２Ｌ、２ＬＤ、ＫＧ、８つ、６つ、４つ、６つＷ、４つＷ、Ａ４、Ａ３などの各種プリントサイズが選択可能に表示されており、ユーザは操作手段４を操作して所望のプリントサイズを選択する。
【００２９】
次に、ステップＳ１０６で、表示制御手段１８は、表示手段３に例えば図１０に示すような納期をユーザに選択させるための納期選択画面２２を表示させる。この納期選択画面２２には、特急、普通、翌日などの各種納期が選択可能に表示されており、ユーザは操作手段４を操作して所望の納期を選択する。
【００３０】
次に、表示制御手段１８は、表示手段３に、例えば図１１に示すような一括選択画面２３を表示させる。この一括選択画面２３には、デジタルカメラ９やメディア８に記録されている画像ファイルの全てを作業の対象とするのか、選択した画像ファイルのみを作業の対象とするのかを選択するボタンが設けられており、”全コマ”を指定すると、読み取った画像ファイルの全てが作業の対象となり、”選ぶ”を指定すると、表示手段３に、例えば、図１２に示すような画像ファイルを個別に選択させるための画像選択画面２４が表示される。
【００３１】
ここで、前述したように、例えば、写真プリント１２を作成する場合には動画ファイルを選択の対象とすることができず、また、記録媒体１３に記録する場合は、規定数又は規定サイズ以上の画像ファイルを選択の対象とすることができないなど、作業に応じて選択対象となる画像ファイルが異なるが、従来の受付端末２は、各々の作業に適した画像選択画面を表示させるものではなかったため操作性が悪いという問題があった。そこで、本実施例では、各々の作業に対する処理を規定するテーブルを記憶手段１７に記憶しておき、表示制御手段１８では、そのテーブルを参照して作業に応じた画像選択画面２４を表示手段３に表示させる。
【００３２】
例えば、図７（ａ）に示すように、各々の作業に対して動画ファイル、最大ファイルサイズ、最大ファイル数に対する処理が予め定められ、図７（ｂ）に示すように、該当する画像ファイルが存在する場合に該画像ファイルを表示するか否かの処理が規定されるテーブルが設けられている場合について説明すると、写真プリント１２の作成が選択された場合、動画ファイルに対する処理は”非表示”であるため、図１２（ａ）に示すように、表示制御手段１８は、読み取った画像ファイル中の動画ファイル（ここでは６番目と７番目のファイル）を除いた画像ファイルのみを表示する（図では何番目のファイルであるかを分かりやすくするために、便宜上、画像枠内に何番目のファイルであるかを示す番号を表示している）。一方、記録媒体１３の作成が選択された場合、１００ＭＢ以上の画像ファイルに対する処理は”非表示”であるため、図１２（ｂ）に示すように、表示制御手段１８は、読み取った画像ファイル中の１００ＭＢ以上の画像ファイル（ここでは４番目と５番目のファイル）を除いた画像ファイルのみを表示する（同様に、便宜上、画像枠内に何番目のファイルであるかを示す番号を表示している）。このように、テーブルを参照して、作業に応じて異なる画像が表示される画像選択画面２４を表示させることにより、各々の作業の対象となる画像ファイルの選択が容易となり、画像選択画面２４の操作性を向上させることができる。
【００３３】
図１２の例は、個々の作業が選択された場合の制御の方法であるが、ステップＳ１０１の作業選択ステップで、写真プリント１２及び記録媒体１３の双方の作成が選択された場合は、各々の作業に対する注文処理において画像選択画面２４が表示されることになるが、その際、各々の作業に対して、項目が異なる（すなわち、表示される画像が異なる）画像選択画面２４が表示されると、同じ注文処理において表示形態が異なる画像選択画面２４を操作しなければならず、画像選択画面２４の操作性が悪くなってしまう。従って、複数の作業が選択された場合には、画像選択画面２４上には同じ項目（画像）が表示されるようにした方が好ましい。そこで、本実施例では、複数の作業が選択された場合には、いずれの作業に対しても、少なくとも一方の作業の対象となる項目（画像）が表示される画像選択画面２４を表示することによって画面の構成を統一して操作性の向上を図っている。
【００３４】
具体的に説明すると、例えば、写真プリント１２及び記録媒体１３の双方の作成が選択された場合に、写真プリント１２の作成に対する注文処理では動画ファイルが選択できず、一方、記録媒体１３の作成に対する注文処理では、１００ＭＢ以上の画像ファイルが選択できないが、いずれの作業に対しても、画像選択画面２４には動画ファイルも１００ＭＢ以上の画像ファイルも表示する。
【００３５】
その場合に、写真プリント１２の作成で動画ファイルが選択されたり、記録媒体１３の作成で１００ＭＢ以上の画像ファイルが選択される場合もあるため、このような不適当な選択を防止するために、一方の作業の対象となるが他方の作業の対象とはならない画像ファイルの選択に対して所定の制限を設けることもできる。
【００３６】
具体的に説明すると、例えば、写真プリント１２及び記録媒体１３の双方の作成が選択された場合に、写真プリント１２の作成に対する注文処理では、図１３（ａ）に示すように、表示制御手段１８は、読み取った画像ファイル中の動画ファイル（同様に６番目と７番目のファイル）を選択できないように（すなわち操作手段４で操作しても応答しないように）表示する。一方、記録媒体１３の作成に対する注文処理では、図１３（ｂ）に示すように、表示制御手段１８は、読み取った画像ファイル中の１００ＭＢ以上の画像ファイル（同様に４番目と５番目のファイル）を選択できないように（同様に、操作手段４で操作しても応答しないように）表示する。このような選択に対する制限を設けることにより、不適当な項目（画像）が選択されることを防止しつつ、画像選択画面２４の操作性を向上させることができる。
【００３７】
また、別の方法として、写真プリント１２の作成に対する注文処理では、図１４（ａ）に示すように、写真プリント１２の作成の対象とはならない動画ファイルに対応付けて、動画ファイルが選択できないことを示す情報（例えば、”プリントできないファイルです”など）を表示する。一方、記録媒体１３の作成に対する注文処理では、図１４（ｂ）に示すように、記録媒体１３の作成の対象とはならない１００ＭＢ以上の画像ファイルに対応付けて、１００ＭＢ以上の画像ファイルが選択できなことを示す情報（例えば、”記録対象外のファイルです”など）を表示する。このような方法でも、不適当な項目（画像）が選択されることを防止しつつ、画像選択画面２４の操作性を向上させることができる。
【００３８】
次に、ステップＳ１０８で、写真プリント１２の作成が選択されている場合は、ステップＳ１０９で、必要に応じて、日付情報読み取り手段１６は、注文情報ファイルに記述されている情報（ＤＰＯＦ情報）又は画像ファイルのヘッダに記述されている情報（ＥＸＩＦ情報）の少なくとも一方の日付情報記述場所から、画像ファイルに対応付けされた日付情報を読み取る。
【００３９】
そして、ステップＳ１１０で、注文情報ファイル又はプリント対象となる全ての画像ファイルに日付情報が記録されていない場合は、写真プリント１２に日付を書き込むことができないため、ステップＳ１１４にスキップする。また、ステップＳ１１０で、注文情報ファイル又はプリント対象となる少なくとも１つの画像ファイルに日付情報が記録されている場合は、写真プリント１２に日付を書き込むことができるため、ステップＳ１１１で、表示制御手段１８は、例えば、図１５に示すような、写真プリント１２に日付を書き込むか否かを選択するボタンが表示された日付有り／無し選択画面２５を表示手段３に表示させる。
【００４０】
そして、ステップＳ１１２で、ユーザが日付有り／無し選択画面２５で日付無しを選択した場合は、ステップＳ１１４で、画像ファイル又は注文情報ファイルの少なくとも一方の所定の記述場所にその画像ファイルに基づく画像に日付が書き込まれないようにする処理を行うなどして、日付無しに設定する。この日付が書き込まれないようにする処理として、例えば、画像ファイルがＥＸＩＦファイルの場合は、ＥＸＩＦ情報の中のユーザコメント記述場所などに、日付を書き込まない設定であることを示す文字（例えば”日付書き込みなし”）や数字、記号などの情報を書き込む処理や、ＥＸＩＦ情報の中の日付情報記述場所から日付情報を削除する処理などとすることができる。また、注文情報ファイルがＤＰＯＦファイルの場合は、ＤＰＯＦファイルを構成する自動プリントファイル（AUTPRINT.MRK）、UNICODE文字列記述ファイル（UNICODE.MRK）、自動送信ファイル（AUTXFER.MRK）、自動再生ファイル（AUTPLAYn.MRK）の内、自動プリントファイル（AUTPRINT.MRK）の中の日付指定に関する記述場所（CFG DSC="2004.09.22"-ATR DTM）に空欄の日付情報（CFG DSC="    .  .  "、CFG DSC="    /  /  "、CFG DSC="          "など）を書き込む処理や、上記日付指定に関する記述場所から日付情報を削除する処理などとすることもできる。
【００４１】
また、ステップＳ１１２で、ユーザが日付有り／無し選択画面２５で日付有りを選択した場合は、ステップＳ１１３で、注文情報ファイルの日付指定に関する記述場所にＥＸＩＦ情報に記述された日付情報を書き込むなどして、日付有りに設定する。
【００４２】
その後、ステップＳ１１５で、ファイル送信手段１９は、選択された画像ファイルと注文情報ファイルとをネットワークを介して設定されたプリント作成装置１１ａや記録媒体作成装置１１ｂなどの出力装置１０に送信すると共に、レシートプリンタ７を用いて注文番号が記録されたレシートを出力し、ユーザに渡して受付端末２の処理を終了する。
【００４３】
一方、プリント作成装置１１ａは、ステップＳ２０１で、受付端末２から送信された画像ファイル及び注文情報ファイルを受信し、ステップＳ２０２で、該注文情報ファイルに基づいて、選択されたプリントサイズの写真プリント１２を作成する。その際、本実施例の受付端末２では、写真プリント１２の作成の対象とはならない画像ファイル（例えば、動画ファイル）が選択されることはないため、注文通りに写真プリント１２を作成することができる。
【００４４】
また、ステップＳ２０３で記録媒体１３の作成を行う場合は、ステップＳ２０４で、記録媒体作成装置１１ｂの記録媒体装填部１４にＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１３を装填し、ステップＳ２０５で、必要に応じて、記録媒体１３の所定の領域（例えば、論理アドレス領域外）から識別情報を読み取る。なお、論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００４５】
ここで、一般的な記録媒体１３の構造について、図１８を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができるため、上記識別情報として有効である。
【００４６】
そして、ステップＳ２０６で、該識別情報の有無に基づいて装填された記録媒体１３が特定の記録媒体であるかを判断し、特定の記録媒体である場合は、ステップＳ２０７で、必要に応じて、読み取った画像ファイルに基づいて動画データ（例えば、ＭＰＥＧ１形式の動画データ）を生成（エンコード）し、生成された動画データに基づいて、ＤＶＤプレーヤやＤＶＤレコーダ、ＨＤＤレコーダ、ゲーム機などの家電機器で再生可能な形式の家電機器用データ（例えば、Ｖｉｄｅｏ−ＣＤ形式のデータ）を生成（オーサリング）する。また、必要に応じて、画像ファイルのデータサイズを縮小したサムネール画像ファイルやスクリーンネイル画像ファイルなどの縮小画像ファイルを生成する。
【００４７】
そして、ステップＳ２０８で、記録媒体１３に読み取った画像ファイルや生成したデータを記録するが、その際、家電機器ではデータを読み込むことができる記録領域が限定されるため、まず、家電機器用データを記録媒体１３の論理アドレス領域の内周側に書き込む。次に、必要に応じてセッションをクローズした後、読み取った画像ファイルやサムネイル画像ファイルやスクリーンネイル画像ファイルなどの縮小画像ファイル、スライドショープログラムなどのアプリケーション、スライドショーの設定ファイル、注文情報ファイルなど（以下、これらを総称してコンピュータ機器用データと呼ぶ。）を記録媒体１３の先に記録した家電機器用データの外側に書き込む。その際、本実施例の受付端末２では、記録媒体１３の作成の対象とはならない画像ファイル（例えば、規定サイズ又は規定数以上の画像ファイル）が選択されることはないため、選択された画像ファイルや該画像ファイルに基づいて生成された画像再生機器用データが記録媒体１３に書き込めないといった不具合が生じることはなく、注文通りに記録媒体１３を作成することができる。その後、ステップＳ２０９で、レシートと引き替えに、作成した写真プリント１２や記録媒体１３をユーザに納品する。
【００４８】
上記手順で作成された記録媒体１３のディレクトリ構造は、例えば、図１６に示すようになり、”DCIM”フォルダ内の画像ファイル、”MISC”フォルダ内の注文情報ファイル、”APPL”フォルダ内のスライドショープログラムやスライドショーの設定ファイル、自動起動ファイルなどでコンピュータ機器用データが構成され、”VCD”フォルダ内の画像ファイルをＶｉｄｅｏ−ＣＤ形式として関連付けるファイル、”SEGMENT”フォルダ内のＴＶ画面に表示する画像ファイル、”MPEGAV”フォルダ内の動画データ、”DAT”フォルダ内のＴＶ画面に静止画像ファイルを表示するためのアプリケーションなどで家電機器用データが構成される。なお、画像ファイルのディレクトリ構造は任意であるが、画像ファイルをコンピュータ機器などにバックアップした場合における管理を容易にするために、例えば、図１７に示すように、画像ファイルの格納場所を示すフォルダ（PS_Roll）の下位の階層にメディア８毎、機器毎、フィルム毎の画像ファイルの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像ファイルをCCYYMMDDxxxxxx（CC：画像ファイルの種別、YYMMDD：書き込み年月日を特定する数字、xxxxxx：シーケンシャル番号）などにリネームしてもよい。
【００４９】
このように、本実施例の受付端末２では、表示手段３に画像選択画面２４などの選択画面を表示する際に、個々の作業が選択された場合には、テーブルを参照して、各々の作業に応じて該作業の対象となる項目（画像）のみが表示される異なる選択画面を表示させ、複数の作業が選択された場合には、いずれの作業に対しても、少なくとも一方の作業の対象となる項目（画像）が表示される同じ選択画面を表示させ、更に、テーブルを参照して、各々の作業に応じて該作業の対象とはならない項目が選択できないように表示、又は、各々の作業の対象とはならない項目に対応付けて該項目が選択できないことを示す情報を表示させる制御が行われるため、どのような作業を選択したとしても適切な操作を行うことができ、操作画面の操作性を向上させることができる。
【００５０】
なお、上記実施例では、表示が制御させる操作画面として画像選択画面２４の例を示したが、本発明は上記実施例に限定されるものではなく、各々の作業において必要となる選択をさせるための選択画面全般に対して同様に適用することができる。また、上記実施例では、選択の対象となる画像ファイルとして動画ファイルと規定サイズ又は規定数以上の画像ファイルを例にして説明したが、いずれの作業の対象となり、他の作業の対象とはならない任意のファイル（例えば、ＢＭＰ形式の画像ファイルや音楽ファイルなど）に対しても同様に適用することができる。
【図面の簡単な説明】
【００５１】
【図１】本発明の一実施例に係る注文処理システムの構成を模式的に示す図である。
【図２】本発明の一実施例に係る受付端末のバリエーションを示す図である。
【図３】本発明の一実施例に係る受付端末のバリエーションを示す図である。
【図４】本発明の一実施例に係る受付端末の機能を示すブロック図である。
【図５】本発明の一実施例に係る受付端末を用いた注文手順を示すフローチャート図である。
【図６】本発明の一実施例に係る出力装置を用いた注文手順を示すフローチャート図である。
【図７】本発明の一実施例に係るテーブルの構成を模式的に示す図である。
【図８】本発明の一実施例に係る受付端末の表示手段に表示される画面構成例（作業選択画面）を示す図である。
【図９】本発明の一実施例に係る受付端末の表示手段に表示される画面構成例（プリントサイズ選択画面）を示す図である。
【図１０】本発明の一実施例に係る受付端末の表示手段に表示される画面構成例（納期選択画面）を示す図である。
【図１１】本発明の一実施例に係る受付端末の表示手段に表示される画面構成例（一括選択画面）を示す図である。
【図１２】本発明の一実施例に係る受付端末の表示手段に表示される画面構成例（画像選択画面）を示す図である。
【図１３】本発明の一実施例に係る受付端末の表示手段に表示される画像選択画面の他の構成を示す図である。
【図１４】本発明の一実施例に係る受付端末の表示手段に表示される画像選択画面の他の構成を示す図である。
【図１５】本発明の一実施例に係る受付端末の表示手段に表示される画面構成例（日付有り／無し選択画面）を示す図である。
【図１６】本発明の一実施例に係る記録媒体のデータ記録構造を示す図である。
【図１７】本発明の一実施例に係る記録媒体のデータ記録構造の他の例を示す図である。
【図１８】記録媒体（ＣＤ−Ｒ）の構造を模式的に示す図である。
【符号の説明】
【００５２】
１  注文処理システム
２  受付端末
３  表示手段
４  操作手段
５  メディア装填部
６  機器接続部
７  レシートプリンタ
８  メディア
９  デジタルカメラ
９ａ  カメラ付き携帯電話機
１０  出力装置
１１ａ  プリント作成装置
１１ｂ  記録媒体作成装置
１２  写真プリント
１３  記録媒体
１４  記録媒体装填部
１５  ファイル読み取り手段
１６  日付情報読み取り手段
１７  記憶手段
１８  表示制御手段
１９  ファイル送信手段
２０  作業選択画面
２１  プリントサイズ選択画面
２２  納期選択画面
２３  一括選択画面
２４  画像選択画面
２５  日付有り／無し選択画面
１００  ポリカーボネート基板
１０１  有機色素層
１０２  反射層
１０３  保護層
【図１】
2006121374.tif 000003
【図２】
2006121374.tif 000004
【図３】
2006121374.tif 000005
【図４】
2006121374.tif 000006
【図５】
2006121374.tif 000007
【図６】
2006121374.tif 000008
【図７】
2006121374.tif 000009
【図８】
2006121374.tif 000010
【図９】
2006121374.tif 000011
【図１０】
2006121374.tif 000012
【図１１】
2006121374.tif 000013
【図１２】
2006121374.tif 000014
【図１３】
2006121374.tif 000015
【図１４】
2006121374.tif 000016
【図１５】
2006121374.tif 000017
【図１６】
2006121374.tif 000018
【図１７】
2006121374.tif 000019
【図１８】
2006121374.tif 000020